(57)【要約】【課題】無線ネットワークにおいてリソースを割り当てるための改良された方法及び装置を提供すること。【解決手段】時分割多重アクセスを使用する移動ネットワークは、移動ネットワークにおけるセル間ハンドオーバーに関する情報を収集する手段と、その収集したセル間ハンドオーバー情報に基づいてネットワークトポロジーを維持する手段であって、このネットワークトポロジーが所与のセルに対して１つ以上の隣接セルを動的に定義するような手段と、前記所与のセルにおいて、前記動的に維持されるネットワークトポロジーにより定義される隣接セルの負荷状態に基づいてタイムスロットを移動ターミナルに割り当てる手段と、を備えている。【選択図】図１
2007517429.tif 000002
【特許請求の範囲】
【請求項１】
時分割多重アクセスを使用する移動ネットワークにおけるリソース割り当て方法であって、
前記移動ネットワークにおけるセル間ハンドオーバーに関する情報を収集するステップと、
前記収集したセル間ハンドオーバー情報に基づいてネットワークトポロジーを維持するステップであって、このネットワークトポロジーが所与のセルに対して１つ以上の隣接セルを動的に定義するようなステップと、
前記所与のセルにおいて、前記動的に維持されるネットワークトポロジーにより定義される隣接セルのタイムスロット割り当て状態に基づいてタイムスロットを移動ターミナルに割り当てるステップと、
を備えたリソース割り当て方法。
【請求項２】
前記維持するステップは、更に、
前記所与のセルとの単位時間当たりのセル間ハンドオーバーの数が所定のスレッシュホールド値を越えるセルを、所与のセルに対する隣接セルであるとみなすことを含む、請求項１に記載の方法。
【請求項３】
前記維持するステップは、更に、
所定の時間周期内に前記所与のセルとのセル間ハンドオーバーをもつセルを、所与のセルに対する隣接セルであるとみなすことを含む、請求項１に記載の方法。
【請求項４】
前記割り当てるステップは、
１つ以上の隣接セルにおいて未使用であるタイムスロットを移動ターミナルに割り当てることを含む、請求項１に記載の方法。
【請求項５】
前記割り当てるステップは、
１つ以上の隣接セルにおいて最低の負荷をもつタイムスロットを移動ターミナルに割り当てることを含む、請求項１に記載の方法。
【請求項６】
前記割り当てるステップは、
その割り当てが１つ以上の隣接セルに最小の干渉しか導入しないタイムスロットを移動ターミナルに割り当てることを含む、請求項１に記載の方法。
【請求項７】
前記移動ネットワークは、時分割及びコード分割多重アクセスを使用する、請求項１に記載の方法。
【請求項８】
時分割多重アクセスを使用する移動ネットワークにおいて、
前記移動ネットワークにおけるセル間ハンドオーバーに関する情報を収集する手段と、
前記収集したセル間ハンドオーバー情報に基づいてネットワークトポロジーを維持する手段であって、このネットワークトポロジーが所与のセルに対して１つ以上の隣接セルを動的に定義するような手段と、
前記所与のセルにおいて、前記動的に維持されるネットワークトポロジーにより定義される隣接セルのタイムスロット割り当て状態に基づいてタイムスロットを移動ターミナルに割り当てる手段と、
を備えた移動ネットワーク。
【請求項９】
前記維持する手段は、
前記所与のセルとの単位時間当たりのセル間ハンドオーバーの数が所定のスレッシュホールド値を越えるセルを、所与のセルに対する隣接セルであるとみなすように構成された、請求項８に記載のネットワーク。
【請求項１０】
前記維持する手段は、
所定の時間周期内に前記所与のセルとのセル間ハンドオーバーをもつセルを、所与のセルに対する隣接セルであるとみなすように構成された、請求項８に記載のネットワーク。
【請求項１１】
前記割り当て手段は、
１つ以上の隣接セルにおいて未使用であるタイムスロットを移動ターミナルに割り当てるように構成された、請求項８に記載のネットワーク。
【請求項１２】
前記割り当て手段は、
１つ以上の隣接セルにおいて最低の負荷をもつタイムスロットを移動ターミナルに割り当てるように構成された、請求項８に記載のネットワーク。
【請求項１３】
前記割り当て手段は、
その割り当てが１つ以上の隣接セルに最小の干渉しか導入しないタイムスロットを移動ターミナルに割り当てるように構成された、請求項８に記載のネットワーク。
【請求項１４】
前記移動ネットワークは、時分割及びコード分割多重アクセスを使用する、請求項８に記載のネットワーク。
【発明の詳細な説明】
【技術分野】
【０００１】
本発明は、移動ネットワークにおける無線リソースの割り当てに係る。
【背景技術】
【０００２】
時分割多重アクセス（ＴＤＭＡ）を使用するセルラー無線システムでは、無線リソースをユーザ装置（ＵＥ）へ割り当てるときに、ネットワークは、ＵＥに割り当てるべきタイムスロットを１つの割り当てパラメータとして考慮しなければならない。例えば、ＴＤＭＡ及びコード分割多重アクセス（ＣＤＭＡ）の両方を使用する３ＧＰＰ  ＵＴＲＡ（ユニバーサル移動電話システム地上無線アクセス）ＴＤＤ（時分割デュープレックス）では、拡散コードにより分離された多数のＵＥが同じタイムスロットを利用することができる。同じタイムスロットを使用する同じセルの負荷に加えて、ＵＥが経験するノイズのレベルも、隣接セルにおける対応スロットの利用の程度に依存する。従って、ベーストランシーバステーション（ＢＴＳ）におけるスロット割り当て戦略の入念な設計が、トラフィックを全てのスロットに最適に分配する上で重要な役割を演じる。
【０００３】
どのタイムスロットをユーザに割り当てるか決定するときに、公知技術では、ランダム番号ベースのアルゴリズム及び半静的リソース割り当てアルゴリズムが確認される。両方法は、トラフィック及び干渉も、バランスをとって等しく分配することを目的とする。ランダム番号ベースのアルゴリズムでは、ＲＮＣがＵＥのためのタイムスロットをランダムにピックアップする。
【０００４】
半静的割り当て方法は、リソース割り当て中の隣接ＢＴＳの考えられる衝突を減少するために、全てのスロットを、自身及び借用のようなグループに分割する。例えば、あるタイムスロットは、あるセルに対して「自身」と定義することができ、次いで、隣接セルにおいて「借用」と定義することができる。従って、ＢＴＳに接近したＵＥには、「借用」スロットを割り当てることができ、そしてＢＴＳから遠く離れたＵＥには、「自身」と定義されたスロットを割り当てることができる。半永久的割り当て方法は、適切に動作するためには、実際に、ＢＴＳの物理的な位置を割り当てパラメータとして使用することに依存する。ＢＴＳの位置は、通常、ネットワークのコンフィギュレーション段階において、例えば、ＧＰＳ（グローバルポジショニングシステム）を使用することによって決定される。
【発明の開示】
【発明が解決しようとする課題】
【０００５】
従来のスロット割り当て方法が成功するかどうかは、ＢＴＳとＢＴＳとの間の相対的な位置情報に大きく依存する。既知の方法では、ＢＴＳが地理的に互いに接近しているが、方位のために、それらの間の干渉レベルが低いか又は全くない。
【課題を解決するための手段】
【０００６】
本発明の目的は、無線ネットワークにおいてリソースを割り当てるための改良された方法及び装置を提供することである。一実施形態によれば、本発明は、時分割多重アクセスを使用する移動ネットワークにおけるリソース割り当て方法であって、移動ネットワークにおけるセル間ハンドオーバーに関する情報を収集するステップと、その収集したセル間ハンドオーバー情報に基づいてネットワークトポロジーを維持するステップであって、このネットワークトポロジーが所与のセルに対して１つ以上の隣接セルを動的に定義するようなステップと、前記所与のセルにおいて、前記動的に維持されるネットワークトポロジーにより定義される隣接セルのタイムスロット割り当て状態に基づいてタイムスロットを移動ターミナルに割り当てるステップと、を備えたリソース割り当て方法を提供する。
【０００７】
一実施形態によれば、本発明は、時分割多重アクセスを使用する移動ネットワークであって、その移動ネットワークにおけるセル間ハンドオーバーに関する情報を収集する手段と、その収集したセル間ハンドオーバー情報に基づいてネットワークトポロジーを維持する手段であって、このネットワークトポロジーが所与のセルに対して１つ以上の隣接セルを動的に定義するような手段と、前記所与のセルにおいて、前記動的に維持されるネットワークトポロジーにより定義される隣接セルのタイムスロット割り当て状態に基づいてタイムスロットを移動ターミナルに割り当てる手段と、を備えた移動ネットワークを提供する。
【０００８】
本発明において、ネットワークの使用状態に適応して、ネットワークを動的に定義する方法及び装置が提供される。動的に定義されるネットワークトポロジーは、リソースをＵＥに割り当てるときに使用される。隣接セルにおけるタイムスロット割り当て状態は、例えば、１つのスロットにおけるユーザの数、スロットにおける送信／受信電力、又はスロットにおけるＦＥＴ（フレームエラー周波数）のようなコンセプトをカバーすることができる。
【０００９】
本発明は、ＴＤＭＡを使用するネットワーク、特に、時分割及びコード分割の両多重アクセスを使用するシステムにおいて、隣接セルが同じ周波数帯域で動作でき且つ新たなユーザのタイムスロットの選択が極めて重要であるときに適用することができる。このようなシステムは、例えば、ＷＣＤＭＡ  ＴＤＤ又はチャイニーズＴＤ−ＳＣＤＭＡを含む。
【００１０】
本発明は、ネットワークのデュープレックス方法とは独立したものであり、従って、時分割デュープレックス（ＴＤＤ）又は周波数分割（ＦＤＤ）を使用するネットワークに使用することができる。又、本発明は、トラフィックの方向とは独立したものであり、従って、アップリンク及びダウンリンクの両方の方向においてタイムスロットの割り当てに使用することができる。
【００１１】
本発明は、著しい効果を発揮する。リソース割り当ては、動的な適応のネットワークトポロジーに基づくもので、これは、ベースステーション間の物理的な距離に基づくだけでなく、ネットワークがいかに使用されるかも考慮する。ここに提案する解決策は、ＴＤＭＡネットワークにおけるリソース割り当てを著しく改善する。
【００１２】
以下、好ましい実施形態及び添付図面を参照して、本発明を詳細に説明する。
【発明を実施するための最良の形態】
【００１３】
図１は、ネットワークエレメントレベルで最も重要な無線システムの部分と、ネットワークエレメント間のインターフェイスとを示す簡単なブロック図である。図１の例は、第２／２．５世代のＧＳＭ（移動通信用のグローバルシステム）及び第３世代のＵＭＴＳ（ユニバーサル移動電話システム）ネットワークの部分を含む無線ネットワークを示す。図１に示すネットワークとは別に、本発明は、ＴＤＭＡ又はＴＤ−ＣＤＭＡを使用する他の無線ネットワークにも使用できる。このようなネットワークの一例は、狭帯域搬送波を伴う３ＧＰＰ  ＵＴＲＡ  ＴＤＤに基づくチャイニーズＴＤ−ＳＣＤＭＡ（時分割同期ＣＤＭＡ）である。
【００１４】
図１において、ネットワークエレメントの構造及び機能は、一般的に知られたものであるので、詳細には説明しない。ここに示す無線システムの主要部分は、コアネットワーク（ＣＮ）１００と、無線アクセスネットワーク（ＵＴＲＡＮ）１３０と、ユーザ装置（ＵＥ）１７０とを含む。無線アクセスネットワークＵＴＲＡＮ１３０は、第３世代に属し、そしてワイドバンドのコード分割多重アクセス技術（ＷＣＤＭＡ）によって実施される。又、第２／２．５世代に属するＴＤＭＡ実施のベースステーションシステム１６０も図示されている。
【００１５】
図１において、コアネットワーク１００の構造は、ＧＳＭとＧＰＲＳ（汎用パケット無線システム）システムとの結合構造を示している。ＧＳＭネットワークエレメントは、回路交換接続の実施を与え、そしてＧＰＲＳネットワークエレメントは、パケット交換接続のための実施を与える。コアネットワークでは、移動サービス交換センター（ＭＳＣ）１０２が、回路交換機能のコアである。同じＭＳＣ１０２を使用して、ＵＴＲＡＮ１３０及びＢＳＳ１６０の両方からの接続にサービスすることができる。ＭＳＣ１０２のタスクは、例えば、接続のスイッチング、ページング、ユーザ装置の位置の登録、ハンドオーバーマネージメント、加入者ビリング情報の収集、暗号パラメータのマネージメント、周波数割り当てのマネージメント、及びエコーの打消しを含む。ＭＳＣ１０２の数は、変化し得る。小規模ネットワークのオペレータは、１つのＭＳＣ１０２しかもたないが、大規模なコアネットワーク１００には多数のＭＳＣがあってもよい。
【００１６】
大規模なコアネットワーク１００は、該コアネットワーク１００と外部ネットワーク１８０との間の回路交換接続に随伴する個別のゲートウェイ移動サービス交換センター（ＧＭＳＣ）１１０を備えることができる。ＧＭＳＣ３１０は、ＭＳＣ３０２、３０６と、外部ネットワーク３８０との間に配置される。外部ネットワーク３８０は、例えば、公衆地上移動ネットワーク（ＰＬＭＮ）又は公衆交換電話ネットワーク（ＰＳＴＮ）でよい。
【００１７】
ホーム位置レジスタ（ＨＬＲ）１１４は、永久的な加入者レジスタを備え、一方、ビジター位置レジスタ（ＶＬＲ）１０４は、ＭＳＣ１０２のエリアにおけるＵＥ１７０のローミング関連情報を含む。装置認識レジスタ（ＥＩＲ）１１２は、無線システムに使用されるＵＥ１７０の国際移動装置認識（ＩＭＥＩ）を含み、そして認証センター（ＡｕＣ）１１６は、ＵＥ認証のための機能を含む。
【００１８】
サービングＧＰＲＳサポートノード（ＳＧＳＮ）１１８は、コアネットワーク１００のパケット交換機能のコアである。ＳＧＳＮ１１８の主たるタスクは、ＵＥ１７０とＵＴＲＡＮ１３０又はＢＳＳ１６０との間でパケットを送信及び受信することである。ゲートウェイＧＰＲＳサポートノード（ＧＧＳＮ）１２０は、パケット交換側のＧＭＳＣ１１０の対応部分である。図１の例では、外部ネットワーク１８２は、インターネットである。
【００１９】
ＢＳＳ１６０は、無線経路及び関連機能を実施するベースステーションコントローラ（ＢＳＣ）１６６及びベーストランシーバステーション（ＢＴＳ）１６２、１６４を含む。ＢＳＣ１６６は、例えば、次のタスクに付随する：ＢＴＳ無線リソースマネージメント、セル間ハンドオーバー、周波数マネージメント、周波数ホッピングシーケンスマネージメント、アップリンク時間遅延マネージメント、オペレーション及びメンテナンスインターフェイスの実施、及び電源制御。各ＢＴＳ１６２、１６４は、ＧＳＭにおいて８つのタイムスロットを有する１つの搬送波を実施する少なくとも１つのトランシーバを備えている。通常、１つのＢＴＳが１つのセルにサービスするが、単一のＢＴＳが多数のセクタ状セルにサービスすることもできる。セルの直径は、数メーターから数キロメーターに変化し得る。
【００２０】
無線アクセスネットワーク１３０は、無線ネットワークサブシステム（ＲＮＳ）１４０、１５０を含む。各ＲＮＳ１４０、１５０は、無線ネットワークコントローラ（ＲＮＣ）１４６、１５６と、ノードＢ１４２、１４４、１５２、１５４、即ちベースステーションとを含む。ＲＮＣ１４０、１５０の機能は、ＢＳＣ１６６の機能にほぼ対応し、そしてノードＢ１４２、１４４、１５２、１５４の機能は、ＧＳＭシステムのＢＴＳ１６２、１６４の機能に対応する。
【００２１】
ユーザ装置１７０は、２つの部分、即ち移動装置（ＭＥ）１７２と、ＵＭＴＳ加入者認識モジュール（ＵＳＩＭ）１７４とを備えている。ＵＳＩＭ１７４は、ユーザ関連情報と、特に、情報セキュリティに関連したデータ、例えば、暗号アルゴリズムとを含む。ＧＳＭシステムは、当然、システム自身の認識モジュールを使用する。ＵＥ１７０は、ＵＴＲＡＮ１３０又はＢＳＳ１６０への無線接続を実施するための少なくとも１つのトランシーバを備えている。
【００２２】
図２は、本発明による方法の一例を示す。本発明は、時分割及びコード分割の両多重アクセスを使用するネットワークに適用できる。このようなシステムでは、移動ターミナルに割り当てることのできる両送信方向に多数のタイムスロットがある。各タイムスロットにおいて多数のユーザに同時にサービスすることができ、そして１人のユーザを多数のタイムスロットにおいて同時にサービスすることもできる。従って、新たに追加されたＵＥ又は隣接セルからハンドオーバーされたＵＥに対するリソース割り当てでは、タイムスロットを１つの割り当てパラメータと考えねばならない。
【００２３】
ステップ２００において、ネットワークは、単一のベースステーションにより与えられるセルとセルとの間の、及び異なるベースステーションにより与えられるセルとセルとの間の、セル間ハンドオーバーに関する情報を収集する。ベースステーション間ハンドオーバーは、あるＢＳＣ／ＲＮＣのもとで行うこともできるし、ＢＳＣ／ＲＮＣ間で行うこともできるし、又はＭＳＣ間で行うこともできる。ハンドオーバー情報は、ＭＳとネットワークとの間のシグナリングから、及びネットワーク内のシグナリングから抽出することができる。本発明の一実施形態では、ネットワークは、発信側セル、受信側セル、及び各々発生するハンドオーバーからのハンドオーバーの瞬間を収集して記憶する。図２は、ベースステーションとベースステーションとの間のセル間ハンドオーバーの観点から方法を示すが、この方法は、単一ベースステーション内のセル間ハンドオーバーにも適用できる。
【００２４】
ステップ２０２において、ネットワークは、ハンドオーバー情報に基づいてネットワークトポロジーを維持する。ネットワークトポロジーを維持する際に、ネットワークは、ステップ２０２Ａに示すように、所与の時間周期中にベースステーションとベースステーションとの間のハンドオーバーの数を計算することができる。例えば、時間周期は、１時間である。ネットワークトポロジーにおいて、最後の１時間以内に２つのベースステーション間に所定数のハンドオーバーが生じた場合には、２つのベースステーションが隣接ベースステーションであるとみなされる。当然、時間周期の長さは、１時間に限定されず、いかなる希望の長さでもよい。時間周期内のハンドオーバーの数を基準として使用するのに加えて、ネットワークは、ネットワークトポロジーを定義するときに何らかの他の基準を使用することもできる。例えば、ステップ２０２Ｂによれば、基準は、最新のハンドオーバーからの経過時間でよい。次いで、最後の１５分以内に２つのベースステーション間にハンドオーバーがあった場合には、これら２つのベースステーションが隣接ベースステーションとみなされる。又、何らかの組み合せ基準を使用することもできる。次いで、例えば、ネットワークは、先の半時間以内にハンドオーバーがあったこと、及び先の１時間以内に少なくとも５回のハンドオーバーがあったことを必要とする。ステップ２０２Ａ及び２０２Ｂで示された基準、又は何らかの同様の基準が満足されない場合には、２つのベースステーション、又は単一ベースステーション内の２つのセルは、もはや隣接セルとはみなされない。
【００２５】
別の例は、新たなＵＥに対してどのタイムスロットを使用すべきか決定する際に重み係数を使用することを示している。例えば、この係数は、２つのセル間を移動するＵＥがどれほど頻繁に生じたか意味するＵＥ／時でよい。ここでは、重みの値が小さいほど、セル間のハンドオーバーアクティビティが低く、そしてネットワークトポロジーの意味において２つのセルか互いに更に離れているとみなされる。
【００２６】
一例として、ＵＥが、セル２及びセル３との縁を有するセル１にアクセスしたい状況について考える。セル１とセル２との間のアクティビティから形成される重み係数は０．２であり、そしてセル１とセル３との間の重み係数は０．８である。セル２のスロット２が、アップリンクに対して２つのＵＥにより使用され、そしてセル３のスロット３が、アップリンクに対して１つのＵＥにより使用されると仮定する。判断を行う際に、セル１においてタイムスロットを選択するときに、スロット２に対する係数は、０．４となり（０．２＊２＝０．４）、そしてスロット３では０．８となる（０．８＊１＝０．８）。次いで、セル１において新たなＵＥに割り当てられるべきスロットは、スロット２となる。スロット２は、スロット３より多数のユーザを有するが、ＵＥは、依然、スロット２へ追加される。というのは、セル２の方が、トポロジーの観点から、セル３よりもセル１から更に離れているためである。
【００２７】
当然、本発明は、上述した例に制限されず、他の基準を使用して、ネットワーク内の２つのセル間のアクティビティを定義することができる。ステップ２０２において、ネットワークは、ある時点でハンドオーバーが間に生じるところのベースステーションの全対間のアクティビティを定義するトポロジーを維持する。
【００２８】
ネットワークトポロジーを維持するときには、システム内にＵＥが多いほど、従って、より多くのハンドオーバーレポートが得られるほど、ネットワーク構造がより迅速に明確になる。本発明による方法を使用するときには、例えば、１日又は１週間の異なる瞬間にトラフィック密度に関する情報も得ることができる。
【００２９】
ステップ２０４において、ネットワークは、所定の基準に基づいて移動ステーションにタイムスロットを割り当てる。移動ターミナルへのタイムスロットの割り当ては、移動ターミナルがセルに入るとき、又は移動ターミナルがセル内で新たな接続を開始するときに、必要となる。ステップ２０４Ａで示すように、タイムスロットは、隣接ＢＴＳにおける負荷状態に基づいて割り当てられる。ここで、隣接ＢＴＳは、ハンドオーバー情報が収集されて、ベースステーション間のアクティビティが評価されるところのステップ２００乃至２０２で定義された手順によって定義される。次いで、ステップ２０４Ａにおいて、隣接ベースステーションの負荷は、例えば、タイムスロットの利用性により評価することができる。あるタイムスロットが隣接ベースステーションにおいて完全に未使用である場合には、このようなタイムスロットを移動ターミナルに割り当てることができる。或いは、各タイムスロットに多数のユーザが存在し得るＴＤ−ＣＤＭＡシステムでは、ユーザの数が最も少ないタイムスロットを新たな移動ターミナルに割り当てることができる。
【００３０】
ステップ２０４Ｂは、タイムスロットの選択において、干渉の増加が最も少ないタイムスロットをターミナルに割り当てできることを示している。干渉の増加は、リソースの割り当てを実行する所与のベースステーション及び隣接ベースステーションにより使用される各タイムスロットにおける合計送信電力又はデータレートを推定することにより推定できる。次いで、新たな移動ターミナルに対して、隣接ベースステーション及び現在ベースステーションに最低の合計送信電力又は最低の合計データレートを有するタイムスロットを選択することができる。
【００３１】
図３は、移動ネットワークにおける１つのリソース割り当て状態を示す。ネットワークは、少なくとも１つのセルを各々備えたベースステーション３０２乃至３１０を備えている。テーブル１は、ベースステーション３０２乃至３１０間の以前のアクティビティを示す。
テーブル１：ハンドオーバーデータ構造
2007517429.tif 000003
【００３２】
テーブル１は、例えば、最新の週内の最もビジーな時間中のハンドオーバーの数を示す列「ＨＯ／時」を含む。列「最新のＨＯ」は、最新のＨＯが生じた瞬間を指示する。ハンドオーバーアクティビティ情報を含むデータベース／データ構造は、最新の１時間内のハンドオーバーの数又はある瞬間からのハンドオーバーの数のような列、或いは同様の列も含むことができる。ネットワークトポロジーを維持するときには、ＢＴＳ５は、ビジーな時間中のＨＯの数又は最新のＨＯの瞬間を判断パラメータとして使用するときにＢＴＳに対する隣接ベースステーションからドロップアウトされてもよい。
【００３３】
図３において、移動ターミナル３００は、ベースステーション３０２の可聴エリアであるセルに入ることにより、ベースステーション３０２へアタッチしようとする。ベースステーション３０２は、現在２つの隣接ベースステーションＢＴＳ２（３０４）及びＢＴＳ４（３０６）を有する。ＢＴＳ５（３１０）は、ベースステーション３０２に対して最も近いベースステーションであるが、現在は、破線で示すように、隣接ベースステーションとみなされない。ベースステーションＢＴＳ２は、現在、タイムスロットＳ＃１を使用し、そしてベースステーションＢＴＳ４は、タイムスロットＳ＃２を使用している。ベースステーションＢＴＳ５は、タイムスロットＳ＃３を使用するが、ＢＴＳ５は、ベースステーションＢＴＳ１に対する隣接ベースステーションとみなされないので、タイムスロットＳ＃３をターミナル３００に割り当てることができる。
【００３４】
図４は、本発明に関するタスクを実行するための１つの考えられるネットワーク設定を示す。移動ステーション３００は、ハンドオーバーレポートを収集して記憶する手段４００へハンドオーバーレポートを送信する。或いは又、レポート収集手段４００は、移動ステーション３００とネットワークとの間のシグナリングからハンドオーバー情報を形成する。ハンドオーバーレポートは、ハンドオーバー発信セル、ハンドオーバー受信セル、及びハンドオーバーの瞬間のような情報を含む。
【００３５】
又、ネットワークは、ネットワークトポロジーを維持するための手段４０２も備えている。このトポロジーは、ハンドオーバーレポートを使用することにより更新される。トポロジーを更新する際に、更新手段４０２は、ハンドオーバータイマー４０４を使用して、あるベースステーション間の最新のハンドオーバー以来の時間を保持することができる。或いは又、最新のハンドオーバー以来の時間をハンドオーバーレポートから計算することができる。又、更新手段４０２は、カウンタ４０８を使用して、所定の時間周期内のあるベースステーション間のハンドオーバーの数をカウントすることもできる。或いは又、ハンドオーバーレポートを含むデータベースへ５分ごとに問合せを行うことにより、ベースステーション間のハンドオーバーの数を見つけることができる。
【００３６】
又、ネットワークは、ベースステーションの負荷をモニタリングする手段４０６を含むこともできる。負荷モニタリング手段４０６は、ネットワークの全ベースステーションの負荷を知ることができる。又、モニタリング手段４０６は、種々のベースステーションにおけるスロット割り当ても知ることができ、そして異なる別々のスロット割り当てとの干渉の増加を推定することができる。スロット割り当て手段４１０は、負荷モニタリング手段４０６により与えられる情報を使用することにより、いかにスロットを割り当てるべきかの判断を行うことができる。
【００３７】
図４は、本発明の幾つかの実施形態を実施するためにネットワークに必要とされる機能の一般的なレベルを表わす。図４に示す機能的エンティティは、ネットワーク内の種々の場所に分配することができる。例えば、レポート収集手段４００は、ベースステーションにおいて一部分実施し、そして無線ネットワークコントローラにおいて一部分実施することができる。図４に示す他の手段は、例えば、ＢＳＣ／ＲＮＣで実施することができる。
【００３８】
本発明の機能は、例えば、ソフトウェア、ＡＳＩＣ（特定用途向け集積回路）、又は個別ロジックコンポーネントとして実施することができる。
【００３９】
以上、添付図面を参照して本発明を詳細に説明したが、本発明は、これに限定されるものではなく、特許請求の範囲内で多数の仕方で変更できることが明らかであろう。
【図面の簡単な説明】
【００４０】
【図１】テレコミュニケーションネットワークを一例として示す図である。
【図２】本発明の方法を例示する図である。
【図３】ベースステーションコンフィギュレーションにおけるタイムスロットの割り当てを示す図である。
【図４】本発明によるネットワーク構造の一実施形態を示す図である。
【図１】
2007517429.tif 000004
【図２】
2007517429.tif 000005
【図３】
2007517429.tif 000006
【図４】
2007517429.tif 000007
【国際調査報告】
2007517429.tif 000008
2007517429.tif 000009
2007517429.tif 000010